(57)【特許請求の範囲】
【請求項１】
クライアント・コンピュータの出力信号に基づき表示手段に画像を表示するディスプレイ装置において、
クライアント・コンピュータとの間で盗難予防機能に係る情報の送受信を行なうための通信インターフェイスと、
前記通信インターフェイスを介して受信した盗難予防機能に係る情報を記憶する記憶手段と、
前記通信インターフェイスまたは前記記憶手段を介して盗難予防機能に係る情報が「予防機能ＯＮ」であることを確認した場合には、所定時間後に前記表示手段の表示機能を不適切な状態に設定する機能と、ネットワークに接続されたサーバ・コンピュータから定期的に発せられる「所定メッセージ」をクライアント・コンピュータが受信し、盗難予防機能を一時的に解除するための情報をクライアント・コンピュータから受信した場合には、盗難予防機能に係る情報が「予防機能ＯＮ」であることを確認した場合であっても前記表示手段の表示機能を適切に維持する機能と、盗難予防機能に係る情報が「予防機能ＯＦＦ」である場合には、前記表示手段の表示機能を適切な状態に維持する機能とを有する制御手段と、
を備えていることを特徴とするディスプレイ装置。
【請求項２】
請求項１に記載のディスプレイ装置において、
前記制御手段は、表示機能を不適切な状態にするために、所定時間後に電源をオフにすることを特徴とするディスプレイ装置。
【請求項３】
請求項２に記載のディスプレイ装置において、
前記制御手段は、表示機能を不適切な状態にするために、所定時間後に電源をオフすることを知らせるメッセージを前記表示手段に表示するとともに経過時間を表示し、前記所定時間が経過した時点で電源をオフにすることを特徴とするディスプレイ装置。
【請求項４】
請求項１ないし３のいずれかに記載のディスプレイ装置において、
前記記憶手段は、さらに資産管理情報を記憶する領域を備え、この領域がサーバ・コンピュータによってのみ読み書き可能に構成されていることを特徴とするディスプレイ装置。
【請求項５】
クライアント・コンピュータの出力信号に基づき表示手段に画像を表示するディスプレイ装置のプログラムであって、
盗難予防機能に係る情報の送受信を行なうための通信インターフェイスまたは前記通信インターフェイスから受信した盗難予防機能に係る情報を記憶する記憶手段を介して盗難予防機能に係る情報が「予防機能ＯＮ」であることを確認した場合には、所定時間後に前記表示手段の表示機能を不適切な状態に設定する処理を、
ネットワークに接続されたサーバ・コンピュータから定期的に発せられる「定期メッセージ」をクライアント・コンピュータが受信し、盗難予防機能を一時的に解除するための情報をクライアント・コンピュータから前記通信インターフェイスを介して受信した場合には、盗難予防機能に係る情報が「予防機能ＯＮ」であることを確認した場合であっても前記表示手段の表示機能を適切に維持する処理を、
前記通信インターフェイスまたは前記記憶手段を介して盗難予防機能に係る情報が「予防機能ＯＦＦ」であることを確認した場合には、前記表示手段の表示機能を適切な状態に維持する処理を実行するように制御手段を制御することを特徴とするプログラム。
【請求項６】
サーバ・コンピュータと、このサーバ・コンピュータにネットワークを介して接続されたクライアント・コンピュータと、このクライアント・コンピュータからの出力信号に基づき画像を表示手段に表示するディスプレイ装置を備えたシステムにおける各装置のプログラムであって、
前記サーバ・コンピュータには、
オペレータの指示に基づき、盗難予防機能に係る情報として、予防機能を有効化する「予防機能ＯＮ」と、予防機能を無効化する「予防機能ＯＦＦ」とのいずれかをクライアント・コンピュータに送信する処理と、
定期メッセージを所定間隔でネットワークに送信する処理とを、
前記クライアント・コンピュータには、
前記サーバ・コンピュータから「予防機能ＯＮ」を受信した場合には、前記ディスプレイ装置に対して「予防機能ＯＮ」を、盗難予防機能に係る情報の送受信を行なうための通信インターフェイスを介して前記ディスプレイ装置に送信する処理と、
前記サーバ・コンピュータから「予防機能ＯＦＦ」を受信した場合には、前記ディスプレイ装置に対して「予防機能ＯＦＦ」を、前記通信インターフェイスを介して前記ディスプレイ装置に送信する処理と、
前記サーバ・コンピュータから「定期メッセージ」を受信した場合には、盗難予防機能を一時的に解除するための情報を前記通信インターフェイスを介して前記ディスプレイ装置に送信する処理とを、
前記ディスプレイ装置には、
前記通信インターフェイスまたは前記通信インターフェイスから受信した盗難予防機能に係る情報を記憶する記憶手段を介して盗難予防機能に係る情報が「予防機能ＯＮ」であることを確認した場合には、所定時間後に前記表示手段の表示機能を不適切な状態に設定する処理と、
ネットワークに接続されたサーバ・コンピュータから定期的に発せられる「定期メッセージ」をクライアント・コンピュータが受信し、盗難予防機能を一時的に解除するための情報を、前記通信インターフェイスを介してクライアント・コンピュータから受信した場合には、盗難予防機能に係る情報が「予防機能ＯＮ」であることを確認した場合であっても前記表示手段の表示機能を適切に維持する処理と、
前記通信インターフェイスまたは前記記憶手段を介して盗難予防機能に係る情報が「予防機能ＯＦＦ」であることを確認した場合には、前記表示手段の表示機能を適切な状態に維持する処理と、
を実行させることを特徴とするプログラム。
【発明の詳細な説明】
【０００１】
【発明の属する技術分野】
この発明は、ＣＲＴ、液晶表示装置、プラズマ・ディスプレイ・パネル等を表示手段として備えたディスプレイ装置に係り、特に、ネットワーク環境のクライアント・コンピュータに接続されたディスプレイ装置の盗難予防に関する。
【０００２】
【従来の技術】
ディスプレイ装置は、企業などにおいてネットワークに接続されたクライアント・コンピュータに接続されており、クライアント・コンピュータのユーザ操作等に伴う表示処理を行なっている。
【０００３】
従来、これらの盗難を防止するためには、ディスプレイ装置が設置されているデスクなどとディスプレイ装置とをチェーンやワイヤーで物理的に接続したり、ディスプレイ装置自身が内蔵した機能、例えば、クライアント・コンピュータのキーボードからコントロールキーを使って表示機能をロックしたりすることが行なわれている。
【０００４】
【発明が解決しようとする課題】
しかしながら、このような構成を有する従来例の場合には、次のような問題がある。
すなわち、従来装置のようにチェーンやワイヤーで物理的に接続することは、多数のクライアント・コンピュータを有するネットワーク環境下では設備管理に対する負荷が大きいという問題がある。また、コントロールキーを使ってロックすることは、ディスプレイ装置の操作に熟知したユーザであれば容易に解除できるという問題がある。
【０００５】
この発明は、このような事情に鑑みてなされたものであって、設置されたネットワーク環境から移動した場合には不適切な表示にすることにより、管理負荷を軽減するとともに盗難防止効果を向上することができるディスプレイ装置及びそのプログラム並びにそれを備えたシステムにおける各装置のプログラムを提供することを目的とする。
【０００６】
【課題を解決するための手段】
この発明は、このような目的を達成するために、次のような構成をとる。
すなわち、請求項１に記載の発明は、クライアント・コンピュータの出力信号に基づき表示手段に画像を表示するディスプレイ装置において、クライアント・コンピュータとの間で盗難予防機能に係る情報の送受信を行なうための通信インターフェイスと、前記通信インターフェイスを介して受信した盗難予防機能に係る情報を記憶する記憶手段と、前記通信インターフェイスまたは前記記憶手段を介して盗難予防機能に係る情報が「予防機能ＯＮ」であることを確認した場合には、所定時間後に前記表示手段の表示機能を不適切な状態に設定する機能と、ネットワークに接続されたサーバ・コンピュータから定期的に発せられる「所定メッセージ」をクライアント・コンピュータが受信し、盗難予防機能を一時的に解除するための情報をクライアント・コンピュータから受信した場合には、盗難予防機能に係る情報が「予防機能ＯＮ」であることを確認した場合であっても前記表示手段の表示機能を適切に維持する機能と、盗難予防機能に係る情報が「予防機能ＯＦＦ」である場合には、前記表示手段の表示機能を適切な状態に維持する機能とを有する制御手段と、を備えていることを特徴とするものである。
【０００７】
請求項２に記載の発明は、請求項１に記載のディスプレイ装置において、前記制御手段は、表示機能を不適切な状態にするために、所定時間後に電源をオフにすることを特徴とするものである。
【０００８】
請求項３に記載の発明は、請求項２に記載のディスプレイ装置において、前記制御手段は、表示機能を不適切な状態にするために、所定時間後に電源をオフすることを知らせるメッセージを前記表示手段に表示するとともに経過時間を表示し、前記所定時間が経過した時点で電源をオフにすることを特徴とするものである。
【０００９】
請求項４に記載の発明は、請求項１ないし３のいずれかに記載のディスプレイ装置において、前記記憶手段は、さらに資産管理情報を記憶する領域を備え、この領域がサーバ・コンピュータによってのみ読み書き可能に構成されていることを特徴とするものである。
【００１０】
請求項５に記載の発明は、クライアント・コンピュータの出力信号に基づき表示手段に画像を表示するディスプレイ装置のプログラムであって、盗難予防機能に係る情報の送受信を行なうための通信インターフェイスまたは前記通信インターフェイスから受信した盗難予防機能に係る情報を記憶する記憶手段を介して盗難予防機能に係る情報が「予防機能ＯＮ」であることを確認した場合には、所定時間後に前記表示手段の表示機能を不適切な状態に設定する処理を、ネットワークに接続されたサーバ・コンピュータから定期的に発せられる「定期メッセージ」をクライアント・コンピュータが受信し、盗難予防機能を一時的に解除するための情報をクライアント・コンピュータから前記通信インターフェイスを介して受信した場合には、盗難予防機能に係る情報が「予防機能ＯＮ」であることを確認した場合であっても前記表示手段の表示機能を適切に維持する処理を、前記通信インターフェイスまたは前記記憶手段を介して盗難予防機能に係る情報が「予防機能ＯＦＦ」であることを確認した場合には、前記表示手段の表示機能を適切な状態に維持する処理を実行するように制御手段を制御することを特徴とするものである。
【００１１】
請求項６に記載の発明は、サーバ・コンピュータと、このサーバ・コンピュータにネットワークを介して接続されたクライアント・コンピュータと、このクライアント・コンピュータからの出力信号に基づき画像を表示手段に表示するディスプレイ装置を備えたシステムにおける各装置のプログラムであって、前記サーバ・コンピュータには、オペレータの指示に基づき、盗難予防機能に係る情報として、予防機能を有効化する「予防機能ＯＮ」と、予防機能を無効化する「予防機能ＯＦＦ」とのいずれかをクライアント・コンピュータに送信する処理と、定期メッセージを所定間隔でネットワークに送信する処理とを、前記クライアント・コンピュータには、前記サーバ・コンピュータから「予防機能ＯＮ」を受信した場合には、前記ディスプレイ装置に対して「予防機能ＯＮ」を、盗難予防機能に係る情報の送受信を行なうための通信インターフェイスを介して前記ディスプレイ装置に送信する処理と、前記サーバ・コンピュータから「予防機能ＯＦＦ」を受信した場合には、前記ディスプレイ装置に対して「予防機能ＯＦＦ」を、前記通信インターフェイスを介して前記ディスプレイ装置に送信する処理と、前記サーバ・コンピュータから「定期メッセージ」を受信した場合には、盗難予防機能を一時的に解除するための情報を前記通信インターフェイスを介して前記ディスプレイ装置に送信する処理とを、前記ディスプレイ装置には、前記通信インターフェイスまたは前記通信インターフェイスから受信した盗難予防機能に係る情報を記憶する記憶手段を介して盗難予防機能に係る情報が「予防機能ＯＮ」であることを確認した場合には、所定時間後に前記表示手段の表示機能を不適切な状態に設定する処理と、ネットワークに接続されたサーバ・コンピュータから定期的に発せられる「定期メッセージ」をクライアント・コンピュータが受信し、盗難予防機能を一時的に解除するための情報を、前記通信インターフェイスを介してクライアント・コンピュータから受信した場合には、盗難予防機能に係る情報が「予防機能ＯＮ」であることを確認した場合であっても前記表示手段の表示機能を適切に維持する処理と、前記通信インターフェイスまたは前記記憶手段を介して盗難予防機能に係る情報が「予防機能ＯＦＦ」であることを確認した場合には、前記表示手段の表示機能を適切な状態に維持する処理と、を実行させることを特徴とするものである。
【００１２】
【作用】
請求項１に記載の発明の作用は次のとおりである。
すなわち、ネットワークに接続されているクライアント・コンピュータにディスプレイ装置が接続された適切な状態にある場合には、盗難予防機能を一時的に解除するための情報を「所定メッセージ」でクライアント・コンピュータが受信し、「予防機能ＯＮ」となっていても制御手段が表示機能を適切に維持するので、正常に表示処理が行なわれる。また、「予防機能ＯＦＦ」であることを確認した場合には、どのような環境下であっても表示機能を適切な状態に維持する。
【００１３】
その一方、「予防機能ＯＮ」となったまま、異なるネットワークに移動したり、スタンドアローン環境で使用したりすると、制御手段が表示機能を不適切な状態に設定するので、装置を正常に使用することができなくなる。
【００１４】
なお、本発明におけるサーバ・コンピュータとクライアント・コンピュータとは、ネットワーク形態における厳密な意味における種別である必要はなく、ネットワーク形態的にはピア・ツー・ピアであって、コンピュータで実行されているアプリケーション・ソフトウェアの関係でサーバ−クライアントの関係にある場合も含む。
【００１５】
請求項２に記載の発明によれば、所定時間後に電源をオフにすることで表示機能を不適切な状態とする。
【００１６】
請求項３に記載の発明によれば、所定時間後にオフすることを知らせるメッセージを表示するとともに経過時間を表示するので、適切な表示が可能な時間を知ることができ、盗難ではなくネットワークやサーバ・コンピュータなどに単に異常が生じた際であってもユーザが所定時間の間だけは使用できる。
【００１７】
請求項４に記載の発明によれば、記憶手段に資産管理情報、例えば、資産管理番号、所有部門、設置場所、ユーザ名などを書き込めるようにする。しかも、サーバ・コンピュータによってのみ読み書き可能にすることで、ネットワーク上でディスプレイ装置を管理できる。
【００１８】
請求項５に記載の発明によれば、このようなプログラムをディスプレイ装置に備えることにより請求項１に記載の作用と同等の作用を生じる。
【００１９】
請求項６に記載の発明によれば、このようなプログラムをシステムの各装置に備えることで請求項１の作用と同等の作用を生じる。
【００２０】
【発明の実施の形態】
以下、図面を参照してこの発明の一実施例を説明する。
図１及び図２はこの発明の一実施例に係り、図１は実施例に係るシステムのうちのディスプレイ装置とクライアント・コンピュータの概略構成を示したブロック図であり、図２はシステムの概要を示した模式図である。
【００２１】
ディスプレイ装置１は、ネットワーク３に接続されているクライアント・コンピュータ５に接続されている。クライアント・コンピュータ５は、ネットワーク３（例えば、イーサネット）を介してサーバ・コンピュータ７に対して接続されている。
【００２２】
ディスプレイ装置１は入力部９を備えており、ビデオケーブル１３でクライアント・コンピュータ５に接続されている。入力部９はビデオ回路１５に接続されており、このビデオ回路１５が、本発明における表示手段に相当するＬＣＤ１７に信号を与えることで画像が表示されるようになっている。
【００２３】
ビデオ回路１５は、ＲＡＭ１９ａを含むマイクロコントローラ１９によって制御される。マイクロコントローラ１９には、ＵＳＢコントローラ２１と不揮発性メモリ２３が接続されている。なお、ディスプレイ装置１の電源がオフにされた場合には、ＲＡＭ１９ａの内容は保持されないが、不揮発性メモリ２３の内容は保持される。
【００２４】
なお、マイクロコントローラ１９が本発明におる制御手段に相当し、ＲＡＭ１９ａと不揮発性メモリ２３とが本発明における記憶手段に相当する。
【００２５】
ＵＳＢコントローラ２１は、本発明における通信インターフェイスに相当するものであり、クライアント・コンピュータ５との間で盗難予防機能に係る情報の通信を行なうためのものである。それらの間は、ＵＳＢケーブル２５で接続されている。この実施例における盗難予防機能に係る情報とは、盗難予防機能を有効にするための「予防機能ＯＮ命令」と、盗難予防機能を無効にするための「予防機能ＯＦＦ命令」と、盗難予防機能を一時的に無効にするための「予防機能一時解除命令」とを含むものである。
【００２６】
なお、通信インターフェイスとしては、上記のＵＳＢコントローラ２１に代えて、ＲＳ−２３２Ｃなどのシリアルインターフェイスを用いてもよい。
【００２７】
本発明の要部に係るプログラミングがなされたマイクロコントローラ１９の動作についての詳細は後述するが、マイクロコントローラ１９がＵＳＢコントローラ２１を介して「予防機能ＯＮ命令」を受信した場合には、盗難予防機能を有効にするようにＲＡＭ１９ａ及び不揮発性メモリ２３に情報を書き込む。また、「予防機能ＯＦＦ命令」を受信した場合には、盗難予防機能を無効にするようにＲＡＭ１９ａ及び不揮発性メモリ２３に情報を書き込む。さらに、「予防機能一時解除命令」を受信した場合には、マイクロコントローラ１９のＲＡＭ１９ａだけに一時解除に関する情報を書き込むようになっている。
【００２８】
クライアント・コンピュータ５は、ＣＰＵ３１と、メモリ３３と、グラフィック・コントローラ３５と、ハードディスク装置３７と、ＮＩＣ３９とを備えている。これらはバス４１を介して全てが相互に接続されているとともに、ＮＩＣ３９はネットワーク３に接続されている。
【００２９】
上記のように構成されているクライアント・コンピュータ５は、ＣＰＵ３１がハードディスク装置３７のオペレーティング・システムをメモリ３３に読み出して実行することで規定の動作を行ない、さらにユーザが指示したプログラムを実行することでユーザの所望の動作を行なう。また、盗難予防機能に関するプログラムが自動的にメモリ３３に常駐し、ネットワーク３を介して接続されているサーバ・コンピュータ７からの上記各命令を受信したか否かを監視している。
【００３０】
盗難予防機能に関する上記各命令を受信した場合には、それをディスプレイ装置１に対して転送するように動作し、この予防機能に関してはクライアント・コンピュータ５のユーザが関与することはできないようになっている。なお、各命令のうち、予防機能一時解除命令は、サーバ・コンピュータ７からネットワーク３上に定期的に送信されるブロードキャスト・メッセージで代用されている。したがって、ブロードキャスト・メッセージをクライアント・コンピュータ５が受信した場合には、それに代えて予防機能一時解除命令をディスプレイ装置１に対して送信することになる。
【００３１】
なお、上記のブロードキャスト・メッセージが本発明における所定メッセージ及び定期メッセージに相当する。
【００３２】
サーバ・コンピュータ７は、システム管理者が使用するコンピュータであり、ネットワーク３上のクライアント・コンピュータ５に接続されているディスプレイ装置１を指定して、予防機能をＯＮ／ＯＦＦすることが可能である。つまり、「予防機能ＯＮ命令」または「予防機能ＯＦＦ命令」をクライアント・コンピュータ５に対して発信することが可能である。「予防機能一時解除命令」に相当するのは、ネットワーク３においてサーバ・コンピュータ５が存在を示すために毎分送信されるブロードキャスト・メッセージである。
【００３３】
次に、図３ないし図６のフローチャートを参照して、上述したディスプレイ装置１を備えたシステムの動作について説明する。なお、図３はディスプレイ装置の初期化動作を示したフローチャートであり、図４はタイマー割り込み動作を示したフローチャートであり、図５はメイン処理ループを示したフローチャートであり、図６はクライアント・コンピュータとの通信動作を示したフローチャートである。
【００３４】
まず、以下に一通りの動作をステップごとに説明する。
【００３５】
■初期化動作■
ステップＳ１
ディスプレイ装置１の図示しない１次／２次電源をオンにする。これによってディスプレイ装置１の動作が開始される。
【００３６】
ステップＳ２
マイクロコントローラ１９のＲＡＭ１９ａ内に記憶される予防機能ＯＮ／ＯＦＦの状態を示す変数ＲＡＭ＿Ｐｒｖと、タイマー処理用の変数ＰｒｖＴｉｍｅｒを初期化して共に「ゼロ」に設定する。
【００３７】
ステップＳ３
タイマー動作のための割り込みを開始する。
なお、このタイマー割り込みは、以下のメイン処理ループを実行中であっても定期的に、例えば、毎秒ごとに割り込んで実行される。
【００３８】
■■タイマー処理■■
ステップＳ１０
タイマー値である変数ＰｒｖＴｉｍｅｒが「０」でないかどうかを調べて処理を分岐する。「０」でない、つまりタイムアップしていない場合には、ステップＳ１１にて変数ＰｒｖＴｉｍｅｒから一定数（ここでは「１」）を減じる。その一方、「０」である、つまりタイムアップしている場合にはタイマー処理を終了して図３のステップＳ４に戻る。
【００３９】
ステップＳ１２
再びタイマー値である変数ＰｒｖＴｉｍｅｒを調べ、それが「０」であるか否かに応じて処理を分岐する。「０」である、つまりタイムアップしている場合にはステップＳ１３にて２次電源をオフにして、ディスプレイ装置１におけるＬＣＤ１７への表示を停止する。その一方、「０」でない、つまりタイムアップしていない場合には図３のステップＳ４に戻る。
【００４０】
ステップＳ４
図５に示すメイン処理ループを開始する。
【００４１】
■■■メイン処理ループ■■■
ステップＳ２０
ＲＡＭ１９ａの変数ＲＡＭ＿Ｐｒｖが「１」、つまり「予防機能ＯＮ」であって、かつ、前回のループ時における変数ＲＡＭ＿Ｐｒｖの値ＲＡＭ＿Ｐｒｖ＿Ｐｒｅｖが「０」、つまり「予防機能ＯＦＦ」であるかによって処理を分岐する。すなわち、「予防機能ＯＮ命令」を受信した場合（後述する図６のステップＳ３１）であって、かつ、前回のループ時に「予防機能ＯＦＦ命令」であるか否か（後述する図６のステップＳ３３）を判断する。つまり、予防機能ＯＮからＯＦＦにされた場合である。
【００４２】
ステップＳ２１
上記ステップＳ２０でＹｅｓの場合には、タイマー値を指定値にセットする。指定値は、この実施例ではタイマー処理用変数ＰｒｖＴｉｍｅｒに３００秒、つまり５分に設定してある。これにより図４のタイマー割り込み処理時に、ステップＳ１１でタイマー減算が行なわれ、ゼロになった時点でステップＳ１３にて２次電源がオフにされるようになっている。
【００４３】
ステップＳ２２
ＲＡＭ１９ａの変数ＲＡＭ＿Ｐｒｖが「０」、つまり「予防機能ＯＦＦ」であって、かつ、前回のループ時における変数ＲＡＭ＿Ｐｒｖの値ＲＡＭ＿Ｐｒｖ＿Ｐｒｅｖが「１」、つまり「予防機能ＯＮ」であるかによって処理を分岐する。すなわち、「予防機能ＯＦＦ命令」を受信した場合（後述する図６のステップＳ３３）であって、かつ、前回ループ時には「予防機能ＯＮ命令」を受信していた場合（後述する図６のステップＳ３０）であるか否かを判断する。つまり、予防機能ＯＮからＯＦＦにされた場合である。
【００４４】
ステップＳ２３
上記ステップＳ２２でＹｅｓの場合には、タイマー値を指定値である０にセットする。これにより図４のタイマー割り込み処理時に、ステップＳ１０にて「Ｎｏ」に分岐するので、タイマーの減算は行なわれない。
【００４５】
ステップＳ２４
変数ＲＡＭ＿Ｐｒｖ＿Ｐｒｅｖに変数ＲＡＭ＿Ｐｒｖを設定する。つまり、今現在のＲＡＭ１９ａにおける盗難予防機能の設定状態を、前回ループ時の変数として設定する。その後、ステップＳ２５のクライアント・コンピュータとの通信処理に移行する。
【００４６】
■■■■クライアント・コンピュータとの通信■■■■
ステップＳ３０
クライアント・コンピュータ５から「予防機能ＯＮ命令」を受信したか否かを判断して処理を分岐する。
受信した場合には、ステップＳ３１にて変数ＥＥＰ＿Ｐｒｖと、変数ＲＡＭ＿Ｐｒｖを共に「１」に設定する。変数ＥＥＰ＿Ｐｒｖは、不揮発性メモリ２３に記憶される予防機能ＯＮ／ＯＦＦ状態を示す変数である。つまり、ＲＡＭ１９ａと不揮発性メモリ２３の両方に「予防機能ＯＮ命令」を受信したことを記憶する。
【００４７】
ステップＳ３２
クライアント・コンピュータ５から「予防機能ＯＦＦ命令」を受信したか否かを判断して処理を分岐する。
受信した場合には、ステップＳ３３にて変数変数ＥＥＰ＿Ｐｒｖと、変数ＲＡＭ＿Ｐｒｖを共に「０」に設定する。つまり、ＲＡＭ１９ａと不揮発性メモリ２３の両方に「予防機能ＯＦＦ命令」を受信したことを記憶する。
【００４８】
ステップＳ３４
クライアント・コンピュータ５から「予防機能一時解除命令」を受信したか否かを判断して処理を分岐する。
受信した場合には、ステップＳ３５にて、変数ＲＡＭ＿Ｐｒｖだけを「０」に設定する。つまり、ＲＡＭ１９ａと不揮発性メモリ２３のうち、ディスプレイ装置１の電源がオフされた際には消失してしまうＲＡＭ１９ａだけに「予防機能一時解除命令」を受信したことを記憶する。
【００４９】
上記の通信処理を行なった後に、図５のメイン処理ループのステップＳ２６において、メインループが１周目であるか否かを判断して、１周目の場合にだけステップ２７に処理を移行する。このステップＳ２７では、ＲＡＭ１９ａに設定されている変数ＲＡＭ＿Ｐｒｖに、不揮発性メモリ２３に設定されている変数ＥＥＰ＿Ｐｒｖを設定する。
【００５０】
すなわち、ディスプレイ装置１の電源がオンにされて最初にメイン処理ループが実行された際にのみ、不揮発性メモリ２３に記憶されている盗難予防機能のＯＮ／ＯＦＦ状態を読み出しＲＡＭ１９ａに設定することにより、電源がオフにされる前の盗難予防機能の状態を復元するのである。
【００５１】
ステップＳ２８では、ＯＳＤ（オン・スクリーン・ディスプレイ）処理によりディスプレイ装置１のＬＣＤ１７に表示処理を行なう。例えば、盗難予防機能の現在の状態を表示したり、タイマー処理用変数ＰｒｖＴｉｍｅｒの値に基づき、電源が遮断されるまでの残り時間とともに電源が遮断されることを知らせるメッセージをＬＣＤ１７に表示したりする。
【００５２】
以上が一通りの動作である。
【００５３】
▲１▼予防機能ＯＮ
次に、サーバ・コンピュータ７の管理者が、クライアント・コンピュータ５に接続されたディスプレイ装置１に対して「予防機能ＯＮ」を設定した場合について説明する。
【００５４】
この場合には、クライアント・コンピュータ５との通信処理により、変数ＥＥＰ＿Ｐｒｖと変数ＲＡＭ＿Ｐｒｖに「予防機能ＯＮ」が設定される（図６中のステップＳ３１）。この状態でネットワーク３に接続されている場合には、ブロードキャスト・メッセージに応じて「予防機能一時解除」（図６中のステップＳ３５）となり、タイマー値がゼロ（ＰｒｖＴｉｍｅｒ＝０）に設定される（図５中のステップＳ２３）。したがって、毎秒のタイマー割り込み処理時には、２次電源がオフされることはない（図４中のステップＳ１０でＮｏとなる）。
【００５５】
次に、上記の設定状態から、ディスプレイ装置１がクライアント・コンピュータ５から取り外され、上記とは異なるネットワークあるいはネットワークのないスタンドアローンの環境にあるコンピュータに接続された場合（以下、盗難状態と称する）について説明する。この場合には、ネットワークからブロードキャストがクライアント・コンピュータに受信されたとしても「予防機能一時解除命令」がディスプレイ装置１に対して発せられることがない。
【００５６】
まず、ディスプレイ装置１の電源がオンされた時点で不揮発性メモリ２３の内容がＲＡＭ１９ａに設定される（図５中のステップＳ２７）。つまり、「予防機能ＯＮ」の状態に復元設定されるとともに、タイマー値が５分に設定される（図５中のステップＳ２１）。したがって、タイマー値が減算されてゼロとなった時点において、ディスプレイ装置１の２次電源がオフにされる（図４中のステップＳ１３）。
【００５７】
▲２▼予防機能ＯＦＦ
次に、サーバ・コンピュータ７の管理者が、クライアント・コンピュータ５に接続されたディスプレイ装置１に対して「予防機能ＯＦＦ」を設定した場合について説明する。
【００５８】
この場合には、クライアント・コンピュータ５との通信処理により、変数ＥＥＰ＿Ｐｒｖと変数ＲＡＭ＿Ｐｒｖに「予防機能ＯＦＦ」が設定される（図６中のステップＳ３３）とともに、タイマー値がゼロ（ＰｒｖＴｉｍｅｒ＝０）に設定される（図５中のステップＳ２３）。したがって、毎秒のタイマー割り込み処理時には、２次電源がオフされることはない（図４中のステップＳ１０でＮｏとなる）。
【００５９】
次に、上記の設定状態から盗難状態になった場合について説明する。
【００６０】
まず、ディスプレイ装置１の電源がオンされた時点で不揮発性メモリ２３の内容がＲＡＭ１９ａに設定される（図５中のステップＳ２７）。つまり、「予防機能ＯＦＦ」の状態に復元して設定されるとともに、タイマー値がゼロに設定される（図５中のステップＳ２３）。したがって、毎秒のタイマー割り込み処理時には、２次電源がオフされることはない（図４中のステップＳ１０でＮｏとなる）。
【００６１】
このように本実施例装置によると、ネットワーク３に接続されているクライアント・コンピュータ５にディスプレイ装置１が接続された適切な状態にある場合には、「予防機能ＯＮ」が設定されていてもマイクロコントローラ１９が表示機能を適切に維持して正常に表示処理が行なわれる。また、「予防機能ＯＦＦ」に設定されている場合には、どのような環境下であっても表示機能を適切な状態に維持する。
【００６２】
その一方、「予防機能ＯＮ」に設定されている場合には、異なるネットワーク３に移動したり、スタンドアローン環境で使用したりすると、マイクロコントローラ１９が２次電源をオフにするので、ディスプレイ装置１を正常に使用できなくなる。したがって、このように一旦、ネットワーク３とサーバ・コンピュータ７並びにクライアント・コンピュータ５を備えたシステムに取り込まれたディスプレイ装置１は単独では動作させ続けることができないという機能を備えていることを周知にすると、管理負荷を軽減するとともにディスプレイ装置１の盗難防止効果を向上可能である。
【００６３】
なお、本発明は上記の実施形態に限定されるものではなく、以下のように変形実施が可能である。
【００６４】
（１）不揮発性メモリ２３には資産管理情報を記憶するための領域をさらに確保し、その領域をサーバ・コンピュータ７によってのみ読み書きが可能なように構成してもよい。資産管理情報としては、例えば、ディスプレイ装置１のモデル名、シリアル番号、製造年月日、資産管理番号、所有部門、設置場所、使用者名などである。
【００６５】
これらの資産管理情報をサーバ・コンピュータ７で管理することにより、ネットワーク３上でディスプレイ装置１を一括して容易に管理することができるという別異の効果を奏する。また、ディスプレイ装置１に物理的に貼り付ける管理ラベルとは異なり、簡単にデータを改ざんすることができなくなって盗難防止の効果をさらに高める効果も期待できる。
【００６６】
（２）表示機能を不適切な状態にするために、２次電源だけをオフするのではなく、１次電源をもオフするようにしてもよい。また、電源をオフにするのではなく、操作に支障が生じるような表示をＯＳＤ処理によって画面上に行なったり、コントラストや輝度を作業に不適切な状態に設定したりするようにしてもよい。
【００６７】
（３）盗難予防機能を一時的に解除する所定メッセージ及び定期メッセージとして、ブロードキャスト・メッセージを利用するのに代えて、サーバ・コンピュータ７で定期的に実行される特定のプログラムを用いてもよい。例えば、所定時間間隔でネットワーク上に存在する全てのクライアント・コンピュータに対して予防機能一時解除命令を送信させるためのプログラムを用いてもよい。
【００６８】
（４）通信インターフェイスを画像表示に係るインターフェイスと別体で構成せずに、盗難予防機能に係る情報を多重化するなどしてグラフィック・コントローラ３５及びビデオケーブル１３を介してディスプレイ装置１に伝えるように構成してもよい。
【００６９】
【発明の効果】
以上の説明から明らかなように、請求項１に記載の発明によれば、ネットワークに接続されているクライアント・コンピュータにディスプレイ装置が接続された適切な状態にある場合には、「予防機能ＯＮ」が設定されていても制御手段が表示機能を適切に維持するので、正常に表示処理が行なわれる。また、「予防機能ＯＦＦ」に設定されている場合には、どのような環境下であっても表示機能を適切な状態に維持する。
【００７０】
その一方、「予防機能ＯＮ」に設定されている場合には、異なるネットワークに移動したり、スタンドアローン環境で使用したりすると、制御手段が表示機能を不適切な状態に設定するので、ディスプレイ装置を正常に使用することができなくなる。したがって、このような機能を備えていることを周知にすると、管理負荷を軽減するとともにディスプレイ装置の盗難防止効果を向上することができる。
【００７１】
請求項２に記載の発明によれば、所定時間後に電源をオフにすることで表示機能を不適切な状態とすることができ、比較的簡単な構成で効果を得ることができる。
【００７２】
請求項３に記載の発明によれば、所定時間後にオフすることを知らせるメッセージを表示するとともに経過時間を表示するので、適切な表示が可能な時間を知ることができ、ネットワークやサーバ・コンピュータなどに異常が生じた際であってもユーザが所定時間の間は使用することができる。したがって、盗難ではない状況下で生じたトラブルに起因してディスプレイ装置を全く使用することができないといった問題を防止できる。
【００７３】
請求項４に記載の発明によれば、記憶手段に記憶し、サーバ・コンピュータによってのみ読み書き可能な資産管理情報により、ネットワーク上でディスプレイ装置を一括して容易に管理することができる。また、貼り付ける管理ラベルのように簡単にデータを改ざんすることができなくなるので、盗難防止の効果も期待できる。
【００７４】
請求項５に記載の発明によれば、このようなプログラムをディスプレイ装置に備えることにより請求項１に記載の効果と同等の効果を奏する。
【００７５】
請求項６に記載の発明によれば、このようなプログラムをシステムの各装置に備えることで請求項１の効果と同等の効果を生じる。
【図面の簡単な説明】
【図１】実施例に係るシステムのうちのディスプレイ装置とクライアント・コンピュータの概略構成を示したブロック図である。
【図２】システムの概要を示した模式図である。
【図３】ディスプレイ装置の初期化動作を示したフローチャートである。
【図４】タイマー割り込み動作を示したフローチャートである。
【図５】メイン処理ループを示したフローチャートである。
【図６】クライアント・コンピュータとの通信動作を示したフローチャートである。
【符号の説明】
１  …  ディスプレイ装置
３  …  ネットワーク
５  …  クライアント・コンピュータ
７  …  サーバ・コンピュータ
１７  …  ＬＣＤ（表示手段）
１９  …  マイクロコントローラ（制御手段）
１９ａ  …  ＲＡＭ（記憶手段）
２１  …  ＵＳＢコントローラ（通信インターフェイス）
２３  …  不揮発性メモリ（記憶手段）
３５  …  グラフィック・コントローラ
３７  …  ハードディスク装置
３９  …  ＮＩＣ
４１  …  バス
【図１】
0003630647.tif 000002
【図２】
0003630647.tif 000003
【図３】
0003630647.tif 000004
【図４】
0003630647.tif 000005
【図５】
0003630647.tif 000006
【図６】
0003630647.tif 000007